(57)【特許請求の範囲】
【請求項１】
第１処理部と第２処理部とを有する、１以上の現用系機能部及び１の待機系機能部を備えるとともに、
前記１以上の現用系機能部が有する前記第１処理部のそれぞれに接続された第１セレクタ部と、前記１以上の現用系機能部が有する前記第２処理部のそれぞれに接続された第２セレクタ部とを備え、
前記待機系機能部が有する前記第１処理部は前記待機系機能部が有する第３セレクタ部を介して前記第１セレクタ部のそれぞれと接続され、前記待機系機能部が有する前記第２処理部は前記待機系機能部が有する第４セレクタ部を介して前記第２セレクタ部のそれぞれと接続され、
前記第１セレクタ部のそれぞれには現用系通信回線が接続され、前記第２セレクタ部のそれぞれには待機系通信回線が接続され、
前記１以上の現用系機能部が有する前記第１処理部、当該第１処理部と接続された前記第１セレクタ部及び当該第１セレクタ部と接続された前記現用系通信回線によって、通信装置間のデータの送受信を中継する中継装置であって、
前記第１処理部のいずれかに故障が発生したことを検出すると、
当該第１処理部と前記第１セレクタ部を介して接続されている前記現用系通信回線を待機系に切り替えるとともに、当該第１処理部と同一の前記待機系機能部に含まれる前記第２処理部と前記第２セレクタ部を介して接続されている前記待機系通信回線を現用系に切り替えてから、
当該第１処理部を有する前記現用系機能部を待機系に、その待機系である前記待機系機能部を現用系に切り替えるとともに、前記故障が発生した前記第１処理部と同一の前記現用系機能部に含まれる前記第２処理部と接続された前記第２セレクタ部は、前記第４セレクタ部とのラインを、前記第４セレクタ部は、前記第２セレクタ部とのラインを現用系に切り替えるように制御を行うコントローラ部を備える
ことを特徴とする、中継装置。
【請求項２】
前記中継装置は、
前記コントローラ部が前記制御を行った後、
前記制御において現用系に切り替えられた前記現用系機能部が有する前記第２処理部、当該第２処理部と前記ラインを介して接続された前記第２セレクタ部及び前記制御において現用系に切り替えられた前記現用系通信回線によって、通信装置間のデータの送受信を中継する
ことを特徴とする、請求項１に記載の中継装置。
【請求項３】
第１処理部と第２処理部とを有する、１以上の現用系機能部及び１の待機系機能部を備えるとともに、
前記１以上の現用系機能部が有する前記第１処理部のそれぞれに接続された第１セレクタ部と、前記１以上の現用系機能部が有する前記第２処理部のそれぞれに接続された第２セレクタ部とを備え、
前記待機系機能部が有する前記第１処理部は前記待機系機能部が有する第３セレクタ部を介して前記第１セレクタ部のそれぞれと接続され、前記待機系機能部が有する前記第２処理部は前記待機系機能部が有する第４セレクタ部を介して前記第２セレクタ部のそれぞれと接続され、
前記第１セレクタ部のそれぞれには現用系通信回線が接続され、前記第２セレクタ部のそれぞれには待機系通信回線が接続され、
前記１以上の現用系機能部が有する前記第１処理部、当該第１処理部と接続された前記第１セレクタ部及び当該第１セレクタ部と接続された前記現用系通信回線によって、通信装置間のデータの送受信を中継する中継装置による系切り替え方法であって、
前記第１処理部のいずれかに故障が発生したことを検出すると、
当該第１処理部と前記第１セレクタ部を介して接続されている前記現用系通信回線を待機系に切り替えるとともに、当該第１処理部と同一の前記待機系機能部に含まれる前記第２処理部と前記第２セレクタ部を介して接続されている前記待機系通信回線を現用系に切り替えてから、
当該第１処理部を有する前記現用系機能部を待機系に、その待機系である前記待機系機能部を現用系に切り替えるとともに、前記故障が発生した前記第１処理部と同一の前記現用系機能部に含まれる前記第２処理部と接続された前記第２セレクタ部は、前記第４セレクタ部とのラインを、前記第４セレクタ部は、前記第２セレクタ部とのラインを現用系に切り替えるように制御を行う
ことを特徴とする、系切り替え方法。
【発明の詳細な説明】
【技術分野】
【０００１】
本発明は、中継装置及び系切り替え方法に関する。
【背景技術】
【０００２】
通信装置では、実装規格としてｃＰＣＩ（ｃｏｍｐａｃｔＰＣＩ）あるいはＡＴＣＡ（ＡｄｖａｎｃｅｄＴＣＡ）などを使用することが多い。これらの規格に従った実装の場合には、センターボードを挟んでフロントボードとリアボードとを組み合わせてシステムを構成したり、バックボードにフロントボードを装着してシステムを構成したりする。
【０００３】
例えば、メディアゲートウェイ装置などでは、ｃＰＣＩやＡＴＣＡの実装の場合には、ＰＳＴＮ（Ｐｕｂｌｉｃ  Ｓｗｉｔｃｈｅｄ  Ｔｅｌｅｐｈｏｎｅ  Ｎｅｔｗｏｒｋ）回線のＴＤＭ（Ｔｉｍｅ  Ｄｉｖｉｓｉｏｎ  Ｍｕｌｔｉｐｌｅｘｉｎｇ）インターフェース部分を搭載したボードを設置し、音声処理をするＣｏｄｅｃ（ｃｏｄｅｒ／ｄｅｃｏｄｅｒ）部分を搭載したボードを設置し、さらに別のスロットに余分なＣｏｄｅｃ部分を搭載したボードを追加して、Ｎ（ＡＣＴＩＶＥ）＋１（ＳＴＡＮＤＢＹ）構成をとるＮ＋１冗長構成としている場合が多い。
【０００４】
また、ＴＤＭインターフェース部は、ＳＴＭ−０／ＳＴＭ−１などのように回線を２本使用し、１（ＡＣＴＩＶＥ）＋１（ＳＴＡＮＤＢＹ）構成の冗長化を実施し、Ｃｏｄｅｃ部分の他、ＴＤＭ処理部分、ＩＰインターフェース部分及びコントローラ部分を実装することが多い。
【０００５】
一般に、Ｎ＋１冗長構成をとるＡＣＴＩＶＥボード内の部品故障の場合、ボード故障とみなして、即座にＳＴＡＮＤＢＹボードへの切り替えを実施する。
【０００６】
特許文献１に開示された技術によれば、メディアゲートウェイ装置において、系の切り替えに伴って待機系が運用系に切り替わった後に、それまで運用系で実施していた通信を継続することが可能である。
【０００７】
【特許文献１】特開２００５−５７４６１号公報
【発明の開示】
【発明が解決しようとする課題】
【０００８】
しかし、特許文献１に開示された技術は、Ｎ＋１冗長構成と、１＋１冗長構成とが、同一のボード（機能部）で構成された場合の技術ではない。
【０００９】
また、従来技術においては、Ｎ＋１冗長構成と、１＋１冗長構成とが、同一の機能部で構成された中継装置において、Ｎ＋１冗長構成をとる機能部内の部品故障時に、サービスを継続することができなくなることがあるという問題があった。
【００１０】
そこで、本発明は、上記問題に鑑みてなされたものであり、本発明の目的とするところは、Ｎ＋１冗長構成と、１＋１冗長構成とが、同一の機能部で構成された中継装置において、Ｎ＋１冗長構成をとる機能部内の部品故障時に、サービスを継続することができる中継装置及び系切り替え方法を提供することにある。
【課題を解決するための手段】
【００１１】
上記問題を解決するために、本発明のある観点によれば、第１処理部と第２処理部とを有する、１以上の現用系機能部及び１の待機系機能部を備えるとともに、１以上の現用系機能部が有する第１処理部のそれぞれに接続された第１セレクタ部と、１以上の現用系機能部が有する第２処理部のそれぞれに接続された第２セレクタ部とを備え、待機系機能部が有する第１処理部は待機系機能部が有する第３セレクタ部を介して第１セレクタ部のそれぞれと接続され、待機系機能部が有する第２処理部は待機系機能部が有する第４セレクタ部を介して第２セレクタ部のそれぞれと接続され、第１セレクタ部のそれぞれには現用系通信回線が接続され、第２セレクタ部のそれぞれには待機系通信回線が接続され、１以上の現用系機能部が有する第１処理部、第１処理部と接続された第１セレクタ部及び第１セレクタ部と接続された現用系通信回線によって、通信装置間のデータの送受信を中継する中継装置であって、第１処理部のいずれかに故障が発生したことを検出すると、第１処理部と第１セレクタ部を介して接続されている現用系通信回線を待機系に切り替えるとともに、第１処理部と同一の待機系機能部に含まれる第２処理部と第２セレクタ部を介して接続されている待機系通信回線を現用系に切り替えてから、第１処理部を有する現用系機能部を待機系に、その待機系である待機系機能部を現用系に切り替えるとともに、故障が発生した第１処理部と同一の現用系機能部に含まれる第２処理部と接続された第２セレクタ部は、第４セレクタ部とのラインを、第４セレクタ部は、第２セレクタ部とのラインを現用系に切り替えるように制御を行うコントローラ部を備える中継装置が提供される。
【００１２】
上記中継装置は、コントローラ部が制御を行った後、制御において現用系に切り替えられた現用系機能部が有する第２処理部、第２処理部とラインを介して接続された第２セレクタ部及び制御において現用系に切り替えられた現用系通信回線によって、通信装置間のデータの送受信を中継することとしてもよい。
【００１３】
また、上記課題を解決するために、本発明の別の観点によれば、第１処理部と第２処理部とを有する、１以上の現用系機能部及び１の待機系機能部を備えるとともに、１以上の現用系機能部が有する第１処理部のそれぞれに接続された第１セレクタ部と、１以上の現用系機能部が有する第２処理部のそれぞれに接続された第２セレクタ部とを備え、待機系機能部が有する第１処理部は待機系機能部が有する第３セレクタ部を介して第１セレクタ部のそれぞれと接続され、待機系機能部が有する第２処理部は待機系機能部が有する第４セレクタ部を介して第２セレクタ部のそれぞれと接続され、第１セレクタ部のそれぞれには現用系通信回線が接続され、第２セレクタ部のそれぞれには待機系通信回線が接続され、１以上の現用系機能部が有する第１処理部、第１処理部と接続された第１セレクタ部及び第１セレクタ部と接続された現用系通信回線によって、通信装置間のデータの送受信を中継する中継装置による系切り替え方法であって、第１処理部のいずれかに故障が発生したことを検出すると、第１処理部と第１セレクタ部を介して接続されている現用系通信回線を待機系に切り替えるとともに、第１処理部と同一の待機系機能部に含まれる第２処理部と第２セレクタ部を介して接続されている待機系通信回線を現用系に切り替えてから、第１処理部を有する現用系機能部を待機系に、その待機系である待機系機能部を現用系に切り替えるとともに、故障が発生した第１処理部と同一の現用系機能部に含まれる第２処理部と接続された第２セレクタ部は、第４セレクタ部とのラインを、第４セレクタ部は、第２セレクタ部とのラインを現用系に切り替えるように制御を行う系切り替え方法が提供される。
【発明の効果】
【００１４】
以上説明したように本発明によれば、Ｎ＋１冗長構成の冗長構成をとる通信装置において、Ｎ＋１冗長構成をとり、且つインターフェース部分が１＋１冗長構成をとる構成である構成システムである場合に、Ｎ＋１冗長構成をとる機能部内の部品故障時、サービスを提供し続けることができる中継装置及び系切り替え方法を提供することができる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
図１は、本発明の実施形態に適用される一般的なメディアゲートウェイ装置の構成を示す図である。図１を参照して、本発明の実施形態に適用される一般的なメディアゲートウェイ装置の構成について説明する。
【００１７】
メディアゲートウェイ装置１０Ａは、ＰＳＴＮ回線１７０〜１７３に接続された通信装置及びＩＰ（Ｉｎｔｅｒｎｅｔ  Ｐｒｏｔｏｃｏｌ）網１９０に接続された通信装置の間で送受信されるデータを中継する。メディアゲートウェイ装置１０Ａには、メディアゲートウェイ部１１０〜１１２が実装され、メディアゲートウェイ部１１０と１１１は、ＡＣＴＩＶＥ状態、メディアゲートウェイ部１１２は、ＳＴＡＮＤＢＹ状態である。ＴＤＭインターフェース部１２０が実装され、ＰＳＴＮ回線１７０〜１７３が接続されている。ＰＳＴＮ回線１７０がＡＣＴＩＶＥ状態、ＰＳＴＮ回線１７１がＳＴＡＮＤＢＹ状態で一つの論理回線である。同様に、ＰＳＴＮ回線１７２がＡＣＴＩＶＥ状態、ＰＳＴＮ回線１７３がＳＴＡＮＤＢＹ状態で一つの論理回線である。
【００１８】
メディアゲートウェイ部１１０内の部品故障時に、メディアゲートウェイ部１１２をＡＣＴＩＶＥ状態に切り替える処理として、まず、コントローラ部１００Ａは、メディアゲートウェイ部１１０内の部品故障を検出すると、メディアゲートウェイ部１１０が保持する通話などの接続中サービス情報をメディアゲートウェイ部１１２へ設定する。コントローラ部１００Ａは、設定完了後、メディアゲートウェイ部１１０をＳＴＡＮＤＢＹ、メディアゲートウェイ部１１２をＡＣＴＩＶＥへ切り替える制御と、メディアゲートウェイ部１１２のセレクタ１６４及びセレクタ１６５からのラインをそれぞれＴＤＭインターフェース部１２０のセレクタ１６０及びセレクタ１６１へ切り替える制御と、ＴＤＭインターフェース部１２０のセレクタ１６０からメディアゲートウェイ部１１０へのラインをメディアゲートウェイ部１１２へ切り替えの制御を行う。これらにより、ＡＣＴＩＶＥ状態であったメディアゲートウェイ部１１０内の部品故障時に、予備ボードであるメディアゲートウェイ部１１２をＡＣＴＩＶＥ状態に切り替えることが可能となる。
【００１９】
図２は、本発明の実施形態に適用される一般的なメディアゲートウェイ装置の動作を示すフローチャートである。図２を参照して、本発明の実施形態に適用される一般的なメディアゲートウェイ装置の動作について説明する。
【００２０】
コントローラ部１００Ａは、ＴＤＭ処理部１５０の故障を検出する（ステップＳ９０１）。コントローラ部１００Ａは、以下のステップＳ９０２〜Ｓ９０３を実行するとともに、ステップＳ９０４〜Ｓ９０７を実行する。ステップＳ９０２〜Ｓ９０３では、ＰＳＴＮ回線１７１のＡＣＴＩＶＥ切り替え（ステップＳ９０２）を行い、ＰＳＴＮ回線１７１のＡＣＴＩＶＥ切り替えを完了する（ステップＳ９０３）。ステップＳ９０４〜Ｓ９０７では、ＳＴＡＮＤＢＹ状態のメディアゲートウェイ部１１２への接続中サービス情報の設定（ステップＳ９０４）をした後、メディアゲートウェイ部１１２のＡＣＴＩＶＥ切り替え（ステップＳ９０５）、メディアゲートウェイ部１１２のセレクタ１６４〜１６５及びＴＤＭインターフェース部１２０のセレクタ１６１のライン切り替え（ステップＳ９０６）を行い、メディアゲートウェイ部１１２のＡＣＴＩＶＥ切り替えを完了する（ステップＳ９０７）。
【００２１】
上記構成のメディアゲートウェイ装置による切り替え技術においては、ＡＣＴＩＶＥ状態のメディアゲートウェイ部１１０内の故障部品がＴＤＭ処理部１５０で、かつ、状態がＡＣＴＩＶＥであった場合、図２に示す通り、故障検出（ステップＳ９０１）後、メディアゲートウェイ部１１０の故障切り替え（ステップＳ９０２〜ステップＳ９０５）と同時に、ＰＳＴＮ回線１７１のＡＣＴＩＶＥ切り替え（ステップＳ９０６〜ステップＳ９０７）も発生し、メディアゲートウェイ部１１２をＡＣＴＩＶＥに切り替えた後に、ＰＳＴＮ回線１７１の状態がＳＴＡＮＤＢＹである可能性があった。この場合、例えば、ＰＳＴＮ回線１７１の接続先の通信装置とのＡＣＴＩＶＥ回線が異なり状態不一致となるため、続けてのＰＳＴＮ回線のＡＣＴＩＶＥ切替えができない。また、メディアゲートウェイ部１１２の切り替えを優先した場合、ＰＳＴＮ回線１７１の接続先の通信装置においてメディアゲートウェイ装置１０Ａに故障が発生したと判断し、通話などのサービスを切断してしまう可能性があった。
【００２２】
（メディアゲートウェイ装置１０のネットワーク構成）
まず、図３を参照して、本発明の実施形態に係るメディアゲートウェイ装置のネットワーク構成について説明する。図３は、本発明の実施形態に係るメディアゲートウェイ装置（故障発生前）のネットワーク構成を示す図である。
【００２３】
図３に示すように、本実施形態に係る中継装置の一例としてのメディアゲートウェイ装置１０のネットワーク構成は、ＩＰ網１９０と、イーサネット（登録商標）スイッチ１８０と、コントローラ部１００と、メディアゲートウェイ部１１０〜１１２と、ＴＤＭインターフェース部１２０と、ＰＳＴＮ回線１７０〜１７３とを含んで構成される。メディアゲートウェイ装置１０は、コントローラ部１００と、メディアゲートウェイ部１１０〜１１２と、ＴＤＭインターフェース部１２０で構成される。
【００２４】
ＩＰ網１９０は、図示しない通信装置同士を接続するネットワークであり、メディアゲートウェイ装置１０のＩＰインターフェース部１３０〜１３２とイーサネット（登録商標）スイッチ１８０を経由して接続されている。ここでは、ＩＰ網１９０を用いることとしたが、ＩＰ網１９０は、他の通信回線であってもよい。
【００２５】
ＩＰインターフェース部１３０〜１３２は、イーサネット（登録商標）スイッチ１８０と接続され、イーサネット（登録商標）スイッチ１８０は、ＩＰ網１９０に接続された図示しない通信装置と接続されている。また、ＩＰインターフェース部１３０〜１３２は、ＶｏＩＰ処理部１４０〜１４２とそれぞれ１対１で接続されている。
【００２６】
メディアゲートウェイ部１１０〜１１２は、１以上の現用系ボード部と、１の待機系ボード部を含んで構成される。ここでは、一例として、メディアゲートウェイ部１１０〜１１１が現用系ボード部（ＡＣＴＩＶＥ）、メディアゲートウェイ部１１２が待機系ボード部（ＳＴＡＮＤＢＹ）であるとしている。また、ここでは、メディアゲートウェイ部１１０〜１１２は、２（現用系）＋１（待機系）の冗長構成であるが、１＋１やその他のＮ＋１、Ｍ＋Ｎに冗長化した場合にも同様の構成をとる。
【００２７】
メディアゲートウェイ部１１０は、ＩＰインターフェース部１３０と、ＶｏＩＰ処理部１４０と、第１処理部の一例としてのＴＤＭ処理部１５０と、第２処理部の一例としてのＴＤＭ処理部１５１とを含んで構成される。同様に、メディアゲートウェイ部１１１は、ＩＰインターフェース部１３１と、ＶｏＩＰ処理部１４１と、ＴＤＭ処理部１５２と、ＴＤＭ処理部１５３とを含み、メディアゲートウェイ部１１２は、ＩＰインターフェース部１３２と、ＶｏＩＰ処理部１４２と、ＴＤＭ処理部１５４と、ＴＤＭ処理部１５５と、セレクタ１６４と、セレクタ１６５とを含んで構成される。
【００２８】
ＩＰインターフェース部１３０〜１３２は、ＩＰ網と通信を行うためのスイッチ機能を有する。ＩＰインターフェース部１３０〜１３２は、イーサネット（登録商標）スイッチ１８０と接続されている。また、ＩＰインターフェース部１３０〜１３２は、ＶｏＩＰ処理部１４０〜１４２にそれぞれ接続されている。
【００２９】
ＶｏＩＰ処理部１４０〜１４２は、メディア変換を行う機能を有する。ＶｏＩＰ処理部１４０は、ＴＤＭ処理部１５０〜１５１のそれぞれに接続されており、ＶｏＩＰ処理部１４１は、ＴＤＭ処理部１５２〜１５３のそれぞれに接続されており、ＶｏＩＰ処理部１４２は、ＴＤＭ処理部１５４〜１５５のそれぞれに接続されている。
【００３０】
現用系であるメディアゲートウェイ部１１０〜１１１が有するＴＤＭ処理部１５０〜１５３は、ＰＳＴＮ回線１７０〜１７３をそれぞれ終端処理する機能を有する。ＴＤＭ処理部１５０〜１５３は、セレクタ（セレクタ部）１６０〜１６３にそれぞれ接続されている。
【００３１】
待機系であるメディアゲートウェイ部１１２が有するＴＤＭ処理部１５４〜１５５は、セレクタ（第３セレクタ部）１６４、セレクタ（第４セレクタ部）１６５にそれぞれ接続され、セレクタ１６４は、ＴＤＭインターフェース部１２０が有するセレクタ１６０（第１セレクタ部）及びＴＤＭインターフェース部１２０が有するセレクタ１６２（第１セレクタ部）のそれぞれと接続されている。同様に、セレクタ１６５は、ＴＤＭインターフェース部１２０が有するセレクタ１６１（第２セレクタ部）及びＴＤＭインターフェース部１２０が有するセレクタ１６３（第２セレクタ部）のそれぞれと接続されている。
【００３２】
ＴＤＭインターフェース部１２０は、セレクタ１６０〜１６３を含んで構成され、内部にセレクタ１６０と１６１で、１＋１冗長化されている。同様に、セレクタ１６２と１６３で、１＋１冗長化されている。
【００３３】
セレクタ１６０〜１６３は、現用系であるメディアゲートウェイ部１１０〜１１１が有するＴＤＭ処理部１５０〜１５３にそれぞれ接続されている。また、セレクタ１６０、１６２は、待機系であるメディアゲートウェイ部１１２が有するセレクタ１６４と接続され、セレクタ１６１、１６３は、待機系であるメディアゲートウェイ部１１２が有するセレクタ１６５と接続されている。また、セレクタ１６０〜１６３は、ＰＳＴＮ回線１７０〜１７３のそれぞれに接続されている。ここでは、ＰＳＴＮ回線１７０、１７２が現用系（現用系通信回線）であり、ＰＳＴＮ回線１７１、１７３が待機系（待機系通信回線）であるとしている。
【００３４】
セレクタ１６０及びセレクタ１６１は、コントローラ部１００の制御により、それぞれ現用系および待機系のメディアゲートウェイ部からのどちらか一方のデータが出力可能となり、メディアゲートウェイ部へのデータは、現用系および待機系の両方に入力され、ＴＤＭ処理部１５０及びＴＤＭ処理部１５１は、それぞれデータ入出力が可能となる。また、ＶｏＩＰ処理部１４０は、コントローラ部１００の制御により、ＴＤＭ処理部１５０及びＴＤＭ処理部１５１のいずれか一方とのデータ入出力が可能となる。
【００３５】
ＰＳＴＮ回線１７０〜１７３は、図示しない通信装置と接続されている。ここでは、ＰＳＴＮ回線１７０〜１７３を用いることとしたが、ＰＳＴＮ回線１７０〜１７３は、他の通信回線であってもよい。
【００３６】
メディアゲートウェイ部１１０を使用する場合を説明する。ＰＳＴＮ回線１７０から入ってきた音声などのデータは、ＴＤＭインターフェース部１２０、メディアゲートウェイ部１１０、イーサネット（登録商標）スイッチ１８０を経由してＩＰ網１９０に送信される。また、逆方向のデータは、その逆のルートを経由してＰＳＴＮ回線１７０に送信される。
【００３７】
コントローラ部１００は、別の機能部又はメディアゲートウェイ部１１０〜１１２のいずれかに実装され、各機能部及び部品の故障検出、メディアゲートウェイ部１１０〜１１２が処理する音声などデータ情報を持つＮ＋１冗長状態監視、制御及びデータ設定、また、ＰＳＴＮ回線１７０〜１７３の１＋１冗長状態監視、ＴＤＭインターフェース部１２０のセレクタ１６０〜１６３の制御、メディアゲートウェイ部１１２のセレクタ１６４〜１６５の制御を行う。
【００３８】
例えば、コントローラ部１００、イーサネット（登録商標）スイッチ１８０及び各機能部内の構成は、メモリに格納されたプログラムを、ＣＰＵ（Ｃｅｎｔｒａｌ  Ｐｒｏｃｅｓｓｉｎｇ  Ｕｎｉｔ）が実行することによって実現される。
【００３９】
図４を参照して、本発明の実施形態に係るメディアゲートウェイ装置のコントローラ部１００について説明する。図４は、本発明の実施形態に係るメディアゲートウェイ装置（故障発生後）の構成を示す図である。
【００４０】
コントローラ部１００は、現用系であるメディアゲートウェイ部１１０、１１１が有するＴＤＭ処理部１５０、１５２のいずれかに故障が発生したことを検知すると（例えば、メディアゲートウェイ部１１０で故障が発生したことを検知すると）、それに対応する現用系通信回線であるＰＳＴＮ回線１７０を待機系に切り替えるとともに、その待機系であるＰＳＴＮ回線１７１を現用系に切り替える。
【００４１】
コントローラ部１００は、その後、ＴＤＭ処理部１５０を有するメディアゲートウェイ部１１０を待機系に、その待機系であるメディアゲートウェイ部１１２を現用系に切り替えるとともに、故障が発生したＴＤＭ処理部１５０と同一のメディアゲートウェイ部１１０に含まれるＴＤＭ処理部１５１と接続されたセレクタ１６１の入力ラインは、メディアゲートウェイ部１１２が有するセレクタ１６５からのラインを、また、メディアゲートウェイ部１１２が有するＴＤＭ処理部１５５と接続されたＶｏＩＰ処理部１４２内のセレクタの入力ラインは、ＴＤＭ処理部１５５からのラインを現用系に切り替えるように制御を行う。
【００４２】
コントローラ部１００による制御が終わった後は、ＰＳＴＮ回線１７１から入ってきた音声などのデータは、ＴＤＭインターフェース部１２０、メディアゲートウェイ部１１２、イーサネット（登録商標）スイッチ１８０を経由してＩＰ網１９０に送信される。また、逆方向のデータは、その逆のルートを経由してＰＳＴＮ回線１７１に送信される。
【００４３】
（メディアゲートウェイ装置１０の動作）
図５を参照して（適宜図３及び図４参照）、本発明の実施形態に係るメディアゲートウェイ装置の動作について説明する。図５は、本発明の実施形態に係るメディアゲートウェイ装置の動作を示すフローチャートである。
【００４４】
まず、メディアゲートウェイ部１１０のＴＤＭ処理部１５０が故障した場合を考える。メディアゲートウェイ部１１１のＴＤＭ処理部１５２が故障した場合も同様の動作となる。
【００４５】
図５に示すように、コントローラ部１００が、ＴＤＭ処理部１５０の故障を検出又はメディアゲートウェイ部１１０から通知を受け取ることによって、故障を検出すると（ステップＳ１０１）、コントローラ部１００は、ＰＳＴＮ回線１７０がＡＣＴＩＶＥであることを判断し、ＰＳＴＮ回線１７１をＡＣＴＩＶＥに切り替え制御を行う。（ステップＳ１０２）。
【００４６】
コントローラ部１００は、ＰＳＴＮ回線１７０、１７１を介して接続された通信装置とのＡＣＴＩＶＥ切り替えが完了後（ステップＳ１０３）、接続中サービス情報（メディアゲートウェイ部１１０が通信中に保持する通話等のデータ）をＳＴＡＮＤＢＹボード（メディアゲートウェイ部１１２）に設定する（ステップＳ１０４）。
【００４７】
コントローラ部１００は、設定完了後に、メディアゲートウェイ部１１０をＳＴＡＮＤＢＹに、メディアゲートウェイ部１１２をＡＣＴＩＶＥに切り替え制御を行う。（ステップＳ１０５）。また、ＴＤＭインターフェース部１２０のセレクタ１６０、１６１に対して、メディアゲートウェイ部からの入力ラインをメディアゲートウェイ部１１０からメディアゲートウェイ部１１２に、また、メディアゲートウェイ部１１２のセレクタ１６４、１６５に対して、ＴＤＭインターフェース部１２０からの入力ラインをそれぞれセレクタ１６０、１６１に、また、メディアゲートウェイ部１１２のＶｏＩＰ処理部１４２に対して、ＴＤＭ処理部からの入力ラインをＴＤＭ処理部１５５に切り替え制御を行う（ステップＳ１０６）。
【００４８】
その結果、図４に示すように、メディアゲートウェイ部１１０はＳＴＡＮＤＢＹ状態、メディアゲートウェイ部１１２はＡＣＴＩＶＥ状態となり、ＰＳＴＮ回線１７１、ＴＤＭインターフェース部１２０、メディアゲートウェイ部１１２、イーサネット（登録商標）スイッチ１８０、ＩＰ網１９０の順番に経路が確保される。
【００４９】
これらにより、ＰＳＴＮ回線１７０及びＰＳＴＮ回線１７１に接続するＰＳＴＮ側装置と、メディアゲートウェイ装置１０とにおいて、ＰＳＴＮ回線のＡＣＴＩＶＥ状態の不一致や、ＰＳＴＮ側装置での回線の切断及び故障の判断がなくなり、サービス継続が可能となる。
【００５０】
以上のように、本実施形態によれば、図３に示したＡＣＴＩＶＥ状態のメディアゲートウェイ部１１０、１１１のそれぞれのＡＣＴＩＶＥ側のＴＤＭ処理部１５０、１５２の故障時において、メディアゲートウェイ装置１０のサービスを継続して提供することが可能となる。
【００５１】
以上、添付図面を参照しながら本発明の好適な実施形態について詳細に説明したが、本発明は掲げる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５２】
例えば、上記実施形態では、中継装置が有する機能をメディアゲートウェイ装置に適用した例を説明したが、メディアゲートウェイ装置に限らず、ｃＰＣＩやＡＴＣＡに適用する装置や、Ｎ＋１冗長構成をとっている場合で、ＰＳＴＮ回線のような１＋１冗長構成をとるインターフェース部をもつものであれば、すべてのケースについて適用できる。
【図面の簡単な説明】
【００５３】
【図１】本発明の実施形態に適用される一般的なメディアゲートウェイ装置の構成を示す図である。
【図２】同実施形態に適用される一般的なメディアゲートウェイ装置の動作を示すフローチャートである。
【図３】同実施形態に係るメディアゲートウェイ装置（故障発生前）の構成を示す図である。
【図４】同実施形態に係るメディアゲートウェイ装置（故障発生後）の構成を示す図である。
【図５】同実施形態に係るメディアゲートウェイ装置の動作を示すフローチャートである。
【符号の説明】
【００５４】
１０      メディアゲートウェイ装置
１００、１００Ａ    コントローラ部
１２０    ＴＤＭインターフェース部
１１０〜１１２    メディアゲートウェイ部
１３０〜１３２    ＩＰインターフェース部
１４０〜１４２    ＶｏＩＰ処理部
１５０〜１５５    ＴＤＭ処理部
１６０〜１６３    セレクタ
１７０〜１７３    ＰＳＴＮ回線
１８０    イーサネット（登録商標）スイッチ
１９０    ＩＰ網
【図１】
0005169346.tif 000002
【図２】
0005169346.tif 000003
【図３】
0005169346.tif 000004
【図４】
0005169346.tif 000005
【図５】
0005169346.tif 000006